(57)【要約】      （修正有）【課題】任意の長さの弾薬の使用を可能にする簡単な構造のてき弾発射筒を提供する。【解決手段】フレーム２、該フレーム２に取りつけられた砲身４、および開放機構を有し、該開放機構が案内手段を有し、該案内手段が前記フレーム２の長さ方向に砲身４を前進させることを可能にし、かつ、この長さ方向の運動の最終段階において前記砲身４を水平に回転させることを可能にする。【選択図】図１５
2006337014.tif 000002
【特許請求の範囲】
【請求項１】
フレーム(2)、フレーム(2)に取りつけられた砲身(4)、および開放機構を有する改良されたてき弾発射筒であって、
前記開放機構が、案内手段を有し、該案内手段が、フレーム(2)の長さ方向に砲身(4)を前進させることを可能にし、かつ、この長さ方向の運動の最終段階において前記砲身を水平に回転させることを可能にする、
ことを特徴とするてき弾発射筒。
【請求項２】
前記案内手段が、長さ方向の運動の前記最終段階において、砲身(4)が前進すると同時に水平方向に回転できるようにすることを特徴とする請求項１に記載のてき弾発射筒。
【請求項３】
砲身(4)が少なくとも二つの滑りブロック(13、14)を有する前部握把(3)に取りつけられ、これらの滑りブロックが前部握把(3)の長さ方向(X−X´)に順次に取りつけられ、またこれらの滑りブロックがフレーム(2)の二つの平行な長さ方向滑りガイド(17)の間に滑るように取りつけられ、一つの滑りブロック(13)が前部握把(3)に固定され、他の滑りブロック(14)が前部握把(3)上で回転するように水平に取りつけられることを特徴とする請求項１または２に記載のてき弾発射筒。
【請求項４】
回転滑りブロック(14)が砲身(4)の砲口(18)からもっとも遠く離れた滑りブロックであることを特徴とする請求項３に記載のてき弾発射筒。
【請求項５】
回転滑りブロック(14)が、該滑りブロックの方向が前部握把の長さ方向(X−X´)に一致している平均位置のまわりに回転することができることを特徴とする請求項３または４に記載のてき弾発射筒。
【請求項６】
回転滑りブロック(14)の進路が少なくとも一つの回転止め(22、23)によって制限されていることを特徴とする請求項３から５の中のいずれか１つに記載のてき弾発射筒。
【請求項７】
回転止め(22、23)が、回転滑りブロック(14)の端に備えられた空所(20)内に配置された止めであることを特徴とする請求項６に記載のてき弾発射筒。
【請求項８】
固定滑りブロック(13)が、回転滑りブロック(14)からある距離に配置された直線部分(24)と、前部握把(3)の長さ方向(X−X´)に回転滑りブロック(14)に向って延びる先細の端から成る円錐部分(25)とを有することを特徴とする請求項３から７の中のいずれか１つに記載のてき弾発射筒。
【請求項９】
回転止め(22)が、固定滑りブロック(13)の円錐部分(25)の延長部から成ることを特徴とする請求項７または８に記載のてき弾発射筒。
【請求項１０】
前部握把(3)が長さ方向の端止め(26)を備えており、該端止めがフレーム(2)上の対応する端止め(27)と協働することができることを特徴とする請求項３から９の中のいずれか１つに記載のてき弾発射筒。
【請求項１１】
長さ方向の端止め(26、27)が、てき弾発射筒(1)が長さ方向に最大限に開放されたとき、回転滑りブロック(14)が依然として滑りガイド(17)によって案内され、一方、固定滑りブロック(13)の直線部分(24)が完全に滑りガイド(17)の外に出るように、配置されていることを特徴とする請求項１０に記載のてき弾発射筒。
【請求項１２】
長さ方向の端止め(26、27)が、てき弾発射筒(1)が長さ方向に最大限に開放されたとき、回転滑りブロック(14)が依然として滑りガイド(17)によって案内され、一方、固定滑りブロック(13)の円錐部分(25)の一部が滑りガイド(17)の外に出るように、配置されていることを特徴とする請求項８または１０に記載のてき弾発射筒。
【請求項１３】
長さ方向の端止め(26、27)が、それぞれ、前部握把(3)のピボット(19)上と、フレーム(2)の端とに配置されることを特徴とする請求項１０から１２の中のいずれか１つに記載のてき弾発射筒。
【請求項１４】
砲身(4)が、バイオネットキャッチタイプの回転固定具を備え、てき弾発射筒(1)が手段(31)を備え、該手段が、前部握把(3)の長さ方向の運動によって砲身(4)の軸の回転の自動制御を可能にし、前部握把(3)がフレーム(2)に対して長さ方向にある距離だけ移動したときに、砲身(4)のロックおよびロック解除ができるようになっていることを特徴とする請求項１から１３の中のいずれか１つに記載のてき弾発射筒。
【請求項１５】
砲身(4)の軸の回転の制御を可能にする手段(31)が、前部握把(3)の突起(32)から成り、該突起が、前部握把(3)の長さ方向(X−X´)に対してある角をなす、砲身(4)の傾斜溝(33)内を案内されることを特徴とする請求項１４に記載のてき弾発射筒。
【請求項１６】
ボルト(6)に取りつけられた抜取り器(38)を備えた自動抜取り装置を有することを特徴とする請求項１から１５の中のいずれか１つに記載のてき弾発射筒。
【請求項１７】
抜取り器(38)がレバーを備え、該レバーが、てき弾発射筒(1)が開放されている間、抜取り器(38)を無効にすることを可能にするものであることを特徴とする請求項１６に記載のてき弾発射筒。
【発明の詳細な説明】
【技術分野】
【０００１】
本発明は、改良されたてき弾発射筒に関する。
【背景技術】
【０００２】
一般に、てき弾発射筒は、引き金によって作動させられる撃発機構、フレームに取りつけられた砲身、フレームに対して砲身をロックおよびロック解除するためのロック機構、てき弾発射筒を開放して弾薬を装填しまた抜取ることを可能にする開放機構、てき弾発射筒を保持すると同時に前記ロックおよび開放機構を作動させるための前部握把(handguard)から成る。
【０００３】
一般に、てき弾発射筒は、抜取り装置をも有し、該装置は、未発射てき弾または発射てき弾のケースを砲身チャンバーから自動抜取りすることを可能にする。
【０００４】
砲身のてき弾発射筒の長さ方向への運動により、開放機構によって長さ方向に開放するタイプのてき弾発射筒は、すでに公知である。
【０００５】
このタイプのてき弾発射筒の場合、ロック機構と自動抜取り機構とが割合に簡単な構造を有していて、使用は簡単であることが多い。
【０００６】
実際、自動抜取り機構はフレームのボルト面によって全体が構成でき、また、ロック機構はバイオネットキャッチ(bayonet catch)とすることができ、このバイオネットキャッチは、たとえば前部握把の簡単な長さ方向運動によって制御される、砲身の簡単な軸回転によって作動させられる。
【０００７】
この場合、砲身にはロックラグが備えられているだけであり、該ラグはてき弾発射筒のフレームの前面にはまるようになっている。砲身を回転させることにより、ロックラグは前記前面からはずれる。
【０００８】
長さ方向の開口を有するタイプのてき弾発射筒の欠点は、弾薬の選択が制限されるということである。というのは、使用されるてき弾の長さが、大体てき弾発射筒の開放距離の大きさに制限されるからである。
【０００９】
水平に回転する砲身を有する、水平開口を有するタイプのてき弾発射筒も、同様にすでに公知である。
【００１０】
このタイプのてき弾発射筒は、てき弾発射筒の開放距離によって制限されることなく、長い弾薬を使用できるという点で有利である。弾薬を横方向から装填し、抜取ることができるからである。
【００１１】
しかし、このタイプのてき弾発射筒の欠点は、ロック機構の複雑性により、またケースのための特殊な抜取り機構の複雑性のために、複雑な構造を有するということである。この複雑性のため、重い構造が必要となる。これは非常に不便であるため、設計者によっては、自動抜取りを放棄し、手動抜取りで我慢している。
【発明の開示】
【発明が解決しようとする課題】
【００１２】
本発明の目的は、前記欠点およびその他の欠点の一つまたはいくつかを排除し、また、任意の長さの弾薬の使用を可能にする簡単な構造のてき弾発射筒を提供することである。
【課題を解決するための手段】
【００１３】
前記目的は、本発明による、
フレーム、フレームに取りつけられた砲身、および開放機構を有する改良されたてき弾発射筒であって、
前記開放機構が、案内手段を有し、該案内手段が、フレームの長さ方向に砲身を前進させることを可能にし、かつ、この長さ方向の運動の最終段階において前記砲身を水平に回転させることを可能にする、
ことを特徴とするてき弾発射筒、
によって達成される。
【００１４】
前記のようにすることにより、弾薬を横方向に、てき弾発射筒に装填し、また該てき弾発射筒から抜取ることができ、したがって任意の長さの弾薬を使用することができる。
【００１５】
同様に、本発明によるてき弾発射筒は、開放運動の最初の段階には長さ方向にある開口を特徴とし、したがって簡単な構造の開放機構とロック機構との使用が可能になる。
【００１６】
前記案内手段は、好ましくは、長さ方向の運動の前記最終段階において、砲身が前進すると同時に水平方向に回転しうるようになっている。
【００１７】
これによって、迅速な完全開放運動が可能になる。好ましい割合に簡単な実施形態においては、砲身が少なくとも二つの滑りブロックを有する前部握把に取りつけられ、これらの滑りブロックが前部握把の長さ方向に順次に取りつけられ、またこれらの滑りブロックがフレームの平行な二つの長さ方向滑りガイドの間に滑るように取りつけられ、一つの滑りブロックが前部握把に固定され、また他の滑りブロックが前部握把に対して水平に回転できるように取りつけられる。
【発明を実施するための最良の形態】
【００１８】
以下、本発明の改良されたてき弾発射筒の一つの実施形態について、添付の図面を参照しつつ簡単に説明するが、この実施形態は単なる例であり、本発明を制限するものではない。
【００１９】
図面に示す、本発明による改良されたてき弾発射筒1は、フレーム2、フレーム2に取りつけられた管状前部握把3、および前部握把3に回転しまた滑るように保持された砲身4を有する。
【００２０】
フレーム2は、引き金ハウジング5とボルト6とを有し、てき弾発射筒1が閉じられたとき、ボルト6に砲身4の一端がはまり、該ボルトの前面7が、砲身4の挿入された一端に形成されるチャンバー8内に装填された弾薬を支持することができる。
【００２１】
撃発機構9がフレーム2に収容されており、ボルト6の前面7のハウジング11内にある発射ピン10を有している。
【００２２】
撃発機構9は、トリガー12によって制御される。
【００２３】
砲身4は、前部握把3によってフレーム2に固定されており、前部握把3は、二つの滑りブロック13および14によって、滑るようにフレーム2に吊るされている。これらのブロックは、前部握把3の長さ方向X−X´に順次に取りつけてあり、それぞれ、へり15および16が、フレーム2の二つの溝17の形の二つの平行な長さ方向滑りガイドに挿入されている。
【００２４】
砲身4の砲口18に近い滑りブロック13は、前部握把3に固定されており、一方、砲身4の砲口18から遠い他の滑りブロック14は、中心ピボット19によって前部握把3に水平回転するように取りつけてある。
【００２５】
図６に示すように、回転滑りブロック14は、ねじボルト21によって集成されている二つの半円形部品20から成る。
【００２６】
回転滑りブロック14の両端には、空所が備えられ、該空所の両側には、突起があって、該突起はそれぞれ中心回転止め22および23と協働する。ここで、これらの止めの各々は、空所20内に配置され、図２に示す通常位置のまわりの滑りブロック14の回転経路を制限する。この通常位置では、滑りブロック14の長さ方向は前部握把3の長さ方向X−X´に一致する方向に向いており、図４および５に示す二つの両極端回転位置の中間にある。
【００２７】
固定滑りブロック13は、回転滑りブロック14からある距離にある直線部分24、および回転滑りブロック14に向かう前部握把の長さ方向X−X´に延びつつ狭まっている円錐端から成る部分25を有している。
【００２８】
中心回転止め22は、固定滑りブロック13の円錐部分25の延長部を形成している。
【００２９】
前部握把3には、長さ方向端止め26が備えられ、該止めはフレーム2上の対応する端止め27と協働することができる。
【００３０】
長さ方向端止め26と27は、どちらも、てき弾発射筒が長さ方向に最大限に開放されたとき、回転滑りブロック14は依然としてフレーム2の滑りガイド17によって案内されるが、固定滑りブロック13の直線部分24は滑りガイド17から完全に外に出、また固定滑りブロック13の円錐部分25は前記滑りブロック17から一部が外に出るように、配置されている。
【００３１】
そのため、長さ方向端止め26および27は、それぞれ、前部握把3のピボット19上、およびフレーム2の前端に配置されている。
【００３２】
この場合、止め27はフレーム2から前部握把3を取りはずすために引出すかまたは持ち上げるかできる。
【００３３】
砲身4は、滑りまた回転するように前部握把3に取りつけられる。
【００３４】
砲身4の砲口18の環状止め28は、前部握把3における砲身4の長さ方向相対運動を制限する。
【００３５】
砲身4は、砲口18と反対の端に、バイオネットキャッチ29を備えており、このバイオネットキャッチは、ラグ30から成り、該ラグは、砲身4の前記端がボルトに挿入されたとき、ボルト6にはまり、そのあと砲身4を回転させて、砲身4のチャンバー8を閉じ、砲身4をフレーム2にロックすることができる。
【００３６】
てき弾発射筒1は手段31を備えており、該手段は、前部握把3の長さ方向の運動によって砲身4の軸の回転の自動制御を可能にし、前部握把3がフレーム2に対して長さ方向にある距離だけ移動したときに、砲身4のロックおよびロック解除ができるようになっている。
【００３７】
図面に示す例の場合、前記手段31は、前部握把3の壁を貫通するくさびから成り、前部握把3の突起32を形成しており、該突起は、砲身4の傾斜溝33内を案内され、このとき該溝は、長さ方向X−X´に対してある角をなしている。
【００３８】
砲身4は傾斜要素の形のブレーキ34を備えており、該ブレーキは、ばね35の作用により、てき弾が砲身4のチャンバー8内に存在する場合、てき弾のケースに小さな半径方向の力を及ぼし、したがっててき弾発射筒が開放されたときに、ケースがチャンバー内に小さな力で支えられるようになっている。
【００３９】
砲身4のロックが解除されたあとの砲身4の軸の回転位置を確定するために、砲身プランジャー36が前部握把3に取りつけてあり、このときプランジャー36はピン37´によって保持されているばね37によって制御される。
【００４０】
随意であるが、てき弾発射筒1には、フレーム2の受け座6に取りつけられた回転フックの形の抜取り器38による弾薬の自動抜き取りを行うための、自動抜取り装置を備えることができる。
【００４１】
抜取り器38は、砲身4のチャンバー8内にあるてき弾のケースのカラーを捕捉し、てき弾発射筒1が開放されたとき、ケースをボルト6の面7に対して押しつけて保持できるようにするばね39によって制御される。
【００４２】
抜取り器38は、レバー40を備え、該レバーは、ばね39の作用に抗して抜取り器38を回転させることを可能にし、したがって抜取り器38を無効にできるものである。
【００４３】
同様に、てき弾発射筒1は、ボルト6の前面7に取りつけられ、ばね42によって制御されて、てき弾のケースに軸方向の力を及ぼすようになっている突出し器41を備えることができる。
【００４４】
本発明によるてき弾発射筒1の動作と使用のやり方は、簡単であり、下記のようである。
【００４５】
図１、９、および１０が示すのは、てき弾が発射されたあと、てき弾発射筒1がその閉鎖位置にあり、空のケース43が砲身4のチャンバー8内にあって、抜取り器38によって前面7に押しつけられて保持されている様子である。
【００４６】
てき弾発射筒1を開放する場合、使用者は、砲身4に対して前部握把3のロック解除キー44を作動させ、前部握把3をまず数mm前方に押す。砲身4は、その軸のまわりに回転させられ、このとき、砲身4は、砲身4の傾斜溝33内の前部握把3の突起32によって案内され、ラグ30がボルト6からはずれると、砲身4がロック解除される。
【００４７】
次に、砲身4の砲口18の止め28の存在により、前部握把3の長さ方向の運動が砲身4に沿って行われるときに、軸方向は保持される。
【００４８】
砲身4の前記運動時に、ケース43は、前面7に押しつけられて保持され、ケース43がチャンバー8から完全に離れると、ただちに、図１１および１３に示す突出し器41の作用によって、下方に突き出される。
【００４９】
前記運動中、前部握把3はある長さ方向軌跡をたどるように強制される。前部握把3の二つの滑りブロックがフレーム2の滑りガイド17内を案内されるからである。
【００５０】
固定滑りブロック13は、図１１および１３に示す位置から、図１２に示すように滑りガイド17を離れ、したがって前部握把3と砲身4は、滑りブロック14の回転運動により、ピボット19のまわりに水平回転することが可能になる。
【００５１】
図１４および１５に示すように、この水平回転は、前部握把3が左に回転するか、右に回転するかに応じて、固定滑りブロック13の円錐部分25が滑りガイド17のどちらか一つの前端に達すると、止められる。
【００５２】
したがって、前部握把3の回転は、図１６および１７に示すような、最大の水平開放となるまで漸進的に案内され、止め25および23の存在により、止められる。
【００５３】
円錐部分25の水平運動は固定滑りブロック13によって案内されるので、てき弾発射筒1のゆっくりとした漸進的な開放運動が可能になる。
【００５４】
ここでは、砲身4は水平に回転するので、装填する新しいてき弾の選択は、てき弾発射筒1の開放距離によっては制限されない。
【００５５】
長さがてき弾発射筒1の開放距離よりも短いてき弾45の場合、非発射てき弾を、図１８に示すように、自動抜取り装置によって抜取ることができる。
【００５６】
長いてき弾の場合、自動抜取り装置は、てき弾発射筒1を開放したとき、抜取り器38のレバー40を押すことにより、作動停止させることができる。この場合、非発射てき弾はブレーキ34により砲身4のチャンバー8内に保持されるので、てき弾を、砲身4の水平回転位置で、手動抜き取りすることができる。
【００５７】
明らかに、てき弾45は、てき弾発射筒1の左側からも右側からも、装填および抜き取りすることができ、したがって本発明のてき弾発射筒は左利きの使用者にとっても右利きの使用者にとってと同様に使いやすい。
【００５８】
当然のことながら、本発明は上述の実施形態のみに限定されるものではなく、特許請求の範囲に示す本発明の範囲を逸脱することなく、前記の改良されたてき弾発射筒にいろいろな変形を加えることができる。
【図面の簡単な説明】
【００５９】
【図１】本発明による改良されたてき弾発射筒の模式図である。
【図２】図１にF2で示す部分の斜視図である。
【図３】図１の線III−IIIに沿う断面図である。
【図４】図２に示すものと同様の図であるが別の位置から見たものである。
【図５】図２に示すものと同様の図であるが別の位置から見たものである。
【図６】図２において、F6で示す部分の分解図である。
【図７】図２において、F7で示す部分の分解図である。
【図８】図１の線VIII−VIIIに沿う断面図である。
【図９】図１の線IX−IXに沿う断面図である。
【図１０】図９の線X−Xに沿う断面図である。
【図１１】図１と同様の図であるが、少し開放された位置にあるてき弾発射筒である。
【図１２】図１１の線XII−XIIに沿う断面図である。
【図１３】図１０に示すものと同様の断面図であるが、図１１に対応する位置のものである。
【図１４】図１１に示すものと同様の図であるが、より大きく開放された位置にあり、弾薬が抜取られたあとのものである。
【図１５】図１２に示すものと同様の断面図であるが、図１４の位置に対応するものである。
【図１６】図１１に示すものと同様の図であるが、より大きく開放された位置にあり、弾薬が抜取られたあとのものである。
【図１７】図１２に示すものと同様の断面図であるが、図１６の位置に対応するものである。
【図１８】図１０に示すものと同様の断面図であるが、未発射弾薬が装填してあるものである。
【符号の説明】
【００６０】
1  てき弾発射筒
2  フレーム
3  前部握把
4  砲身
5  引き金ハウジング
6  ボルト、受け座
7  6の前面
8  チャンバー
9  撃発機構
10  発射ピン
11  ハウジング
12  トリガー
13  滑りブロック
14  滑りブロック
15  へり
16  へり
17  滑りガイド
18  砲口
19  中心ピボット
20  半円形部品、空所
21  ねじボルト
22  中心回転止め
23  中心回転止め
24  直線部分
25  円錐部分
26  長さ方向端止め
27  長さ方向端止め
28  環状止め
29  バイオネットキャッチ
30  ラグ
31  4の軸の回転の自動制御を可能にする手段
32  突起
33  傾斜溝
34  ブレーキ
35  ばね
36  プランジャー
37  ばね
37´  ピン
38  抜取り器
39  ばね
40  レバー
41  突出し器
42  ばね
43  ケース
44  ロック解除キー
45  てき弾
X−X´  3の長さ方向
【図１】
2006337014.tif 000003
【図２】
2006337014.tif 000004
【図３】
2006337014.tif 000005
【図４】
2006337014.tif 000006
【図５】
2006337014.tif 000007
【図６】
2006337014.tif 000008
【図７】
2006337014.tif 000009
【図８】
2006337014.tif 000010
【図９】
2006337014.tif 000011
【図１０】
2006337014.tif 000012
【図１１】
2006337014.tif 000013
【図１２】
2006337014.tif 000014
【図１３】
2006337014.tif 000015
【図１４】
2006337014.tif 000016
【図１５】
2006337014.tif 000017
【図１６】
2006337014.tif 000018
【図１７】
2006337014.tif 000019
【図１８】
2006337014.tif 000020